(57)【特許請求の範囲】
【請求項１】
燃料貯蔵室を有するライター本体（２）、及びその貯蔵室から燃料を放出し、その燃料に着火して炎を生じさせるように使用者によって操作される押し制御部材（24）を包含して成る子供の使用を防止するタイプのライターであって、前記押し制御部材（24）は、前記ライター本体（２）に関して縦の第一の方向（36）と交差する第二の方向（38,56,60）との本質的に直角な両方向に案内され、また、前記押し制御部材（24）は、当接受面を備え、且つその受面が前記ライター本体（２）と一体化された向い合った対向する当接受面（34,46,52,53）である第一の位置を占有し、また、その当接受面が向い合った対向受面ではない第二の位置へ交差方向（38,56,60）に移動することができ、更に、前記押し制御部材を第一の位置の方へ横方向（38,56,60）に押し付ける弾性手段（40,54,58,41,62）が設けられ、また、その手段は、前記押し制御部材を縦方向の第二の位置の方へ押し動かすように設けられていることを特徴とする上記ライター。
【請求項２】
前記弾性手段は、前記当接面を支持する側と反対側に前記押し制御部材（２４）を付勢することを特徴とする請求項１に記載のライター。
【請求項３】
弾性手段は、前記ライターの本体の縦方向に実質的に延出している弾性舌部材（４０，５８,４１）を具備し、前記弾性舌部材は、前記押し制御部材（２４）の横方向への移動によって横方向に変形可能とされるとともに,前記押し制御部材（２４）と共働して機能することを特徴とする請求項１または２に記載のライター。
【請求項４】
前記弾性手段は、ライターの本体（２）の一部である壁部（２２）によって支持されるとともに、前記押し制御部材の壁部（４８）に略平行に設けられている実質的にＵ字形状をなす金属細片（５４）を有してなり、前記刃の枝部のうちの１つは、前記押し制御部材の壁部に対して支持されるとともに、弾性的に変形可能とされ、
前記第２の枝部は、その端部において湾曲しているとともに、電極（２０）として動作し、かつ、前記押し制御部材（２４）の縦方向のコースの終点において、弾性細片とともに、電気的リンクを形成可能とするように、ピエゾエレクトリックな着火メカニズム（１２，１４）の少なくとも一部は、導電性の材料で形成されてなることを特徴とするピエゾエレクトリック着火メカニズムを有する請求項１または２に記載のライター。
【請求項５】
弾性手段は、前記ライターの縦方向に、実質的に延出している弾性舌部材（６２）を有しているとともに、前記押し制御部材（２４）の横方向への移動に対応して変形可能とされ、かつ、電極キャリア（２２）と一体とされていることを特徴とする請求項１又は２に記載のライター。
【請求項６】
前記電極キャリア（２２）に取り付けられた前記弾性舌部材（６２）は、電極キャリア（２２）から離れて、その上方に移動することを特徴とする請求項５に記載のライター。
【請求項７】
前記当接面のレベルは、前記押し制御部材の肩部（３２、５２、５３）のレベルと同程度であることを特徴とする請求項１から６までのいずれか１項に記載のライター。
【請求項８】
前記被当接面は、実質的に縦方向に走るリブ（４４，６６）の頂上部であり、前記押し制御部材（２４）は、前記リブ部材（４４，６６）に平行な突出部（４６，６４）を形成する壁部材を有しており、
この突出部の高さは、前記押し制御部材が、そのアイドル位置から離れて横方向（３８，５６）に移動した時に、押し制御部材が前記リブ（４４，６６）にぶつからないような高さとされ、前記押し制御部材（２４）が、そのアイドル位置から縦方向（３６，５６）に移動する時に、突出部を形成する壁部材の内面は、前記リブ部材に沿ってスライドするように配置されることを特徴とする請求項１から６までのいずれかに記載のライター。
【請求項９】
押し制御部材（２４）の縦方向への案内は、好ましくは、各々、溝に係合しているリブ装置の助けによりなされ、前記押し制御部材（２４）には、２つのリブ部材が設けられるとともに、ライター本体（２）には、２つの対応する溝が設けられ、
押し制御部材（２４）が横方向に移動し、その縦方向のコースを出発する時に、リブが、該リブと対応する溝に係合するように、前記溝は、押し制御部材（２４）がアイドル位置にある場合において、前記リブ部材の下で終わっているとともに、リブ部材と対応して横方向にずれていることを特徴とする請求項１から８までのいずれか１項に記載のライター。
【発明の詳細な説明】
本発明は、縦方向に移動可能な押し制御手段によって動作するとともに、子供が使うのを防止するライターに関するものである。このタイプの着火は、例えば、ピエゾエレクトリックライターに見られるとともに、火打ち石とギザギザの金属面のホイールとを具備するような種類の着火メカニズムにも見られる。押し制御手段を押圧することにより、このライターの使用者は、スパークの生成とバルブを通してガスを噴出させるバルブの開口とを同時に制御し、これによって、炎を生成することができる。
このタイプのライターは、炎を形成するためには単に前記押し制御手段を押すだけでいいので、使用が非常に簡単である。それゆえ、５歳未満の子供が、これらのライターを用いて発火させることができないように、そのライターの使用をより困難にするような試みがなされてきた。
子供の使用を防止するようなタイプのライターを製造するということは、知られている。
これらのライターにおいては、着火メカニズムを中立の状態にするための手段が存在し、これらの手段は、着火メカニズムが動作するのを防止するように中立の第二の位置と、その動作を許容する第一の位置との間で、動くことができるようになっている。使用者は、中立の第二の位置から、第一の位置へと、この可動手段を、手で動かすことが可能になっている。
このタイプのライターは、詳細には、独国実用新案第８８０２５８２．９．号によって知られている。しかしながら、このライターにおいては、中立化手段は、着火メカニズムの動作後に、中立の第二の位置へと自動的に戻るようにされてはいない。
それゆえ、この第二の位置への復帰は、使用者により、それらを反対方向に操作することによってのみ得られる。
単にこの反対方向への操作を忘れてしまっただけで、この中立手段を設けたことに関連する利点が完全に無くなってしまうことが、容易に想像できる。
国際公開番号第９０／１２２５４号には、バーナーのバルブの開口を制御する手段とスパークを生成する手段とを具備する着火メカニズムを備えたガスライターが開示されている。着火手段を具備するこのライターにおいては、着火メカニズムの中立の第二の位置と第一の位置との間で動くことができる、着火メカニズムを中立化するための関連手段が存在している。これらの中立化手段は、使用者によって、それらの第二の位置から第一の位置へと手動で動かすことができる。着火を中立化する手段は、通常は、中立位置に保持されており、そして、さらに、着火メカニズムの動作後に、中立位置へ自動的に復帰するようにされている。
前記機能に関しては十分に満足できるものであるけれども、後者の明細書に記載されたライターは、追加の部品が必要であるという問題点を有している。さらには、組立が、より複雑になるとともに、かなりの程度、コストを増加させる。
以上の問題点を克服するために、仏国特許第２６７５８８５号には、制御部材がスライド可能に取り付けられるとともに、縁部を備えているライターが開示されている。スカートの自由縁部の領域内において、通常は、ライターの本体の一部である被当接面と対向している当接面が存在するように、１つの弾性変形可能な舌部が、前記スカートの中に切り込まれている。前記舌部は、弾性的、かつ、横方向に可動とされ、これにより前記当接面が前記本体の被当接面との関係において第一の位置にもっていかれるようにされている。これにより、着火操作の方向に前記制御部材の動作部を押し下げることができるようになっている。
前記ライターは、炎を得るためには、まず第１に前記舌部を動作させ、次いで、制御部材を動作させなければならないという問題点がある。そのため、この種のライターを使用するためには、２箇所を動作させる必要がある。
本発明は、大人は使用可能であるが、子供、特に５歳未満の子供の使用は困難なライターを提供することを目的とする。他の目的は、中立化位置を保持するような確固たる安全装置を提供することである。加えて、着火動作と同じ箇所において、ロックの解除ができるようにすることをも目的としている。
本発明は、燃料貯蔵室を有するライター本体及びその貯蔵室から燃料を放出し、その燃料に着火して炎を生じさせるように使用者によって操作される押し制御部材を包含して成る子供の使用を防止するタイプのライターであって、前記押し制御部材は、前記ライター本体に関して縦の第一の方向と、同本体に関して交差する第二の方向との本質的に直角な両方向に案内され、また、前記押し制御部材は、当接受面を備え、且つその受面が前記ライター本体と一体化された向い合った対向する当接受面である第一の位置を占有し、また、その当接受面が向い合った対向受面ではない第二の位置へ交差方向に移動することができ、更に、前記押し制御部材を第一の位置の方へ横方向に押し付ける弾性手段が設けられ、また、その手段は、前記押し制御部材を縦方向の第二の位置の方へ押し動かすように設けられているライターを要旨とするものである。
当接面・被当接面、および、それらの相対位置のおかげで、前記押し制御部材を、正規の位置すなわち第二の位置（停止位置）から縦方向へ動作させることは不可能である。この押し制御部材を縦方向に移動させる前には、これを横方向に移動させる動作が必要である。前記横方向への移動により、当接面と被当接面とを動かない状態にすることが可能となる。ライターの着火メカニズムを動作させるためには、使用者は、この押し制御部材を横方向に押すように、彼の指、すなわち親指を、押し制御部材の上面に置くだけで十分である（この移動は、摩擦力或いは親指に適合するような押し制御部材の形状によって可能となる）。次いで、前記押し制御部材を、縦方向に押圧することが必要になる。このように、ライターを操作するためには、押し制御部材の同じ部分に作用することで十分である。
弾性手段により、前記押し制御部材を自動的にそのアイドル位置まで戻すことができる。アイドル位置へと押し制御部材を縦方向に戻すための手段は、公知であり、押し制御部材によって動作するライターに設けられて、長年の間使用されてきた。
前記弾性手段は、好都合にも、当接面を支持する側と反対側へと前記押し制御部材を付勢する。
本発明は、押し制御部材を、そのアイドル位置へと横方向に戻す弾性手段に関する実施の形態として、いくつかの実施の形態を提供する。第１の実施の形態においては、弾性手段は、ライターの本体の縦方向に実質的に延びている弾性的な舌部材を具備している。この舌部材は、前記押し制御部材の横方向の移動によって横方向に変形可能であるとともに、前記押し制御部材と一体になっている。
他の実施の形態であるピエゾエレクトリックライターにおいては、弾性手段は、ライターの縦方向に実質的に延出するとともに、押し制御部材の移動に対して横方向に変形可能であり、かつ、電極キャリアと一体化されている。電極キャリアに取り付けられている前記弾性舌部材は、好都合にも、このキャリアから分離し、そこから、上方に移動する。この装置により、前記押し制御部材がアイドル位置にある時、および、そのコースの終点にあるときに、前記舌部材が機能しないようにすることが可能となる。前記前記舌部材は、前記押し制御部材が移動し、中間位置にある時にのみ圧縮されている。
ピエゾエレクトリックライターの特長的な実施形態において、弾性手段は、実質的にＵ字形状の金属細片を有している。この金属細片は、ライターの本体の一部である壁部により支持されており、前記押し制御部材の壁部とほぼ平行に位置している。前記ブレードの枝部のうちの１つは、この押し制御部材の壁部に対して支持されるとともに、弾性変形可能とされる。第２の枝部は、その端部において湾曲しているとともに、電極として働く。前記ピエゾエレクトリックな着火メカニズムは、少なくとも、導電材料からなる一部分を具備しており、これによって、前記押し制御部材の縦方向のコースの終点において、弾性的な細片と一緒になって、電気的なリンクを形成することができる。
この後者の変形例に関しては、弾性手段は、押し制御部材にもライターの本体にも接続されておらず、その代わりに、電極としてうまく機能する独立した部品を具備している。
本発明は、また、当接・反当接表面を実現するためのデザインをも提供している。従って、第１の変形例においては、当接面は、押し制御部材の肩部として実現されている。被当接面は、ライターの本体の壁部として働く肩部材で形成することが可能であり、或いは、前記ライターの本体の縁部を具備するようにすることも可能である。
他の実施の形態においては、被当接面は、リブの頂上部であり、このリブは、実質的に縦方向に走っている。前記押し制御部材は、突出部を形成する壁部材を有しており、この突出部は、前記リブ部材に平行である。この突出部の高さは、前記押し制御部材が、アイドル位置から横方向に移動した際に、前記リブにぶつからないような高さとされ、前記押し制御部材が、アイドル位置から縦方向に移動した場合に、突出部が形成された壁部材の内面が、前記リブ部材に沿って滑るようにされている。
後者の変形例においては、まず第１に、前記押し制御部材を、横方向へ移動させる代わりに、縦方向への移動に全て置き換えるだけで十分である。そこで、ロックされた位置となり、さらにライターを使用可能な状態とするには、アイドル位置に戻す動作が必要になる。それゆえ、本発明によるライターの他の実施の形態に関しては、押し制御部材のスライドの順序が正確に行われた場合にのみ、ライターが着火されるようになっている。
前記リブ部材は、ライターの本体に追加可能な部材であり、あるいは、例えば、前記ライターの本体の壁部のような、従来のライターの本体に既に存在するリブ部材にすることも可能である。
これらの様々な実施の形態において、押し制御部材の縦方向への案内は、好都合にも、リブ装置の助けにより行われ、各リブは、溝に係合している。前記押し制御部材には、２つのリブ部材が設けられ、ライターの本体には、対応する２つの溝が設けられている。これらの溝は、押し制御部材のアイドル位置において前記リブ部材の下で止まっており、リブ部材との関係においては、横方向にシフトしている。このような配置により、前記押し制御部材が横方向に移動し、次いで、その縦方向へのコースを開始した際に、前記リブは溝に係合する。
もちろん、前記溝を、押し制御部材に形成し、前記リブ部材を、ライターの本体に形成することも可能である。リブ部材と溝との間には、相対的に同じだけのシフトが存在する。前記リブ部材は、押し制御部材のアイドル位置において、溝の下に位置している。
それにもかかわらず、本発明は、後述する明細書の助けとして添付図面を参照にして、より良く理解されるであろうけれども、この図面は、非限定的なものであり、本発明のライターのいくつかの実施の形態を示したものである。
図１ないし図３は、本発明の第１の実施の形態として示した部分縦断面図であり、ライターの着火動作の間の３つの連続した異なる状態を示したものである。
図４ないし図７は、第２の実施の形態として示した部分縦断面図であり、ライターの着火を制御する手段の、異なる状態を示したものである。
図８ないし図１０は、３つの連続した状態を含む第３の実施の形態を示す部分縦断面図である。
図１１ないし図１３は、第４の実施の形態を示したものであり、同じく、部分縦断面図として示したものである。
図１４ないし図１６は、図１のＡ−Ａ矢視断面図であり、第５の実施の形態を示したものである。
図１７ないし図１９は、第６の実施の形態を示した部分縦断面図である。
これらの図は、ガスライターにおいて、部分的に異なる実施の形態を示したものである。このようなライターは、液化石油ガス燃料を貯蔵する貯蔵部として機能する本体２を有している。
貯蔵部の上部には、バーナー４が設けられ、このバーナー４は、それが開口位置にある時にガスが噴出することのできるバルブを有している。コントロールレバー６は、横方向の軸部８周りに回動するように取り付けられており、バーナー４のバルブの開口と閉鎖とを制御する。保護カバー部材１０は、炎が形成できるようにバーナー４の上部を風から守ることができる。
開示されている様々な実施の形態において図示されているライターは、ピエゾエレクトリック型の着火メカニズムを有するものである。このメカニズムは、公知の方法と同様に、上部１２を有しており、この上部１２は、図示しない復帰バネの付勢力に抗して、下部１４方向へ移動可能である。第２のバネ１６は、下部１４とライターの本体との間に設けられるとともに、縦方向に動作する（図１）。さらに、２つの電極が設けられており、このうち、第１の電極１８は、バーナーの上端部に設けられている。第２の電極２０は、前記第１の電極１８の近傍において、電極キャリア２２に取り付けられている。
この電極キャリア２２は、公知の構造であり、従来と同様に取り付けられる。
前記ライター制御部材は、前記着火メカニズムの可動上部１２をオーバーラップしている押し制御部材２４を具備している。この押し制御部材２４は、ライターの使用者によって、ライターの本体２に対して動かされる。
使用者が、押し制御部材２４を押圧すると、バネ１６に抗して下部１４が移動するとともに、可動部１２が、前記下部１４方向に向けて移動する。この下部１４の移動により、まず、バーナー４に一体化されているバルブが開口し、次に、第１の電極１８との電気的接触を起こし、一方、可動部１２が、下部１４方向へ移動することにより、スパークが生じる。
前記メカニズムの可動部１２は、また、押し制御部材２４と対面する側、すなわち、上面部に、アンビル形状部を有している。このアンビル形状部２５は、例えば、アルミニウム、マグネシウム及び銅を混合した亜鉛のような導電材料によって形成されている。押し制御部材２４と着火メカニズムの可動部１２とは、縦方向に移動し、そのコースの終点に到達すると、アンビル形状部２５は、電極２０と着火メカニズムとの間において、電気的接触を形成する。
押し制御部材２４を縦方向へ移動可能とするために、電極キャリア２２と対向配置する押し制御部材の面には、溝が設けられている。この溝は、縦方向に延出しており、第２の電極２０の端部を収容している。それゆえ、押し制御部材２４が動く時に、前記電極２０は、前記押し制御部材２４の動きと関連して、前記溝中をスライドすることができる。
図１ないし図３は、本発明の第１の実施の形態を示したものである。押し制御部材２４は、通常位置、すなわち、図１においては、アイドル位置にあり、使用者は、この押し制御部材に何の力も加えていない。
前記押し制御部材２４は、使用者が動かすことのできる上面部２６を有している。この上面部２６は、この図の面に対して垂直であるが、この図の面内において平行な２つの横方向の壁部２８を支持し、この壁部２８のうち１つは、この面の前部に、もう１つは、その背部に設けられている。壁部材３０は、２つの前記両側壁部２８の間において縦方向に延出しているとともに、上面部２６に連絡されている。関連する着火メカニズムの上部１２は、前記両壁部の間に収容されている。
壁部３０は、バーナー４に芳香の表面側において、肩部を形成する段部３２を有している。この壁部３０に面して、ライターの本体２に固定された電極キャリア２２が設けられている。このライターの本体２には、この電極キャリア２２の高さ全部にまで延出しているわけではないけれども、この電極キャリア２２に沿って延出しているリブ部材３４が設けられている。前記リブ部材３４と肩部３２とが、当接面と被当接面とを形成するように、前記リブ部材３４は、肩部３２に面しており、押し制御部材２４の縦方向（矢印３６）への移動を制限している。
前記リブ部材３４は、ライターの本体２と一体化された一部として形成することも可能である。また、前記リブ部材は、電極キャリア２２と同じ高さに設けられて、肩部３２に対向する肩部によって置換することも可能である。
押し制御部材２４は、着火メカニズムとして動作可能であるので、壁部材３０は、電極キャリア２２から分離しておくことが必要になる。
次に、前記押し制御部材は、図２の矢印３８によって示されているように、ライターの本体２に対して横方向に移動する。押し制御部材２６の上面縁部に設けられている小さなバルジ２７が、電極２０と反対側に設けられている。このバルジ２７が、使用者の指に対して当接手段として作用するので、押し制御部材の移動が容易になる。
前記移動は、舌部材４０の弾性力に抗してなされる。この舌部材４０は、押し制御部材の壁部材３０と実質的に平行に走っているとともに、２つの横方向の壁部２８の間に設けられ、かつ、上面部２６に連絡されている。この舌部材の自由端部は、ライターの本体の内面４２に支持されている。
いったん、前記押し制御部材２４が、図２に示すような位置にくると、前記押し制御部材は、図３の矢印３６の方向へ移動可能となるとともに、着火メカニズムに作用する。使用者が、前記押し制御部材２４を離した時には、押し制御部材２４は、復帰バネ１６と、前記着火メカニズムの上部１２と下部１４との間の図示しないバネと、舌部材４０との作用により、自動的に図１に示す位置に戻される。
押し制御部材２４は、壁部３０および舌部材４０と他の部材との間において、ライターの本体２に対して、２つの方向（矢印３６および３８）に案内される。縦方向（矢印３６）へ案内するために、各々、溝に係合するリブ部材の装置が設けられている。このような装置は、従来のライターにも存在する。押し制御部材２４には、２つの縦方向のリブ部材が設けられている。ライターの本体には、対応する２つの溝が設けられている。本発明に関するライターにおいては、この押し制御部材がアイドル位置にある時に、前記溝は、押し制御部材のリブ部材の下において終わっている。そして、溝は、前記アイドル位置において、リブ部材と対応してずれている。溝は、押し制御部材が横方向（矢印３８）に移動されたときのみ、リブ部材と対向するように位置する。
図４ないし図７は、本発明によるライターの第２の実施の形態を示したものである。
この第２の実施の形態においては、上面部２６と、２つの横方向の壁部材２８と舌部材４０とを有する押し制御部材２４が存在する。第１の実施の形態との相違点は、当接面と被当接面とに関するものである。
リブ部材４４は、着火メカニズムとバーナー４との間において、ライターの本体２の軸線にほぼ平行に延出している。アイドル位置においては（図４）、押し制御部材の上面部２６からリブ部材４４の頂上部までは、所定距離だけ離間している。押し制御部材は、２つの縦面部２８間に延出するとともに、上面部２６の下において固定されている突出部４６が形成されている壁部を有している。この突出部４６の高さは、上面部２６からリブ部材４４の頂上までの離間距離よりも短い。この突出部４６は、前記リブ部材４４と平行に走っているけれども、リブ部材と対応して、バーナー４の方向にシフトしている。このシフト量は、リブ部材４４の幅と一致していることが必要不可欠となる。
図５は、押し制御部材２４が、その通常位置（図４）から縦方向（矢印３６）に変位した際の位置にある様子を示している。リブ４４の頂上部は、押し制御部材の上壁部２６と接触している。それゆえ、この押し制御部材を、矢印３６の方向に移動させ続けることはできない。そのために、着火メカニズムは、いかなる動作もできなくなる。炎を形成するためには、通常のアイドル位置（図４）に自動的に戻る押し制御部材を離すことが必要である。次いで押し制御部材を、矢印３８の方向へ移動させることが必要である。これにより、突出部４６は、リブ部材４４の近傍から移動させられる。最終的には、押し制御部材２４を、縦方向に移動させるように矢印３６の方向に押圧することが必要であり、これにより、着火メカニズムに作用する（図７）。押し制御部材２４を離すと、復帰バネと舌部材４０との作用により、図４に示すように、押し制御部材は、自動的に通常位置に戻る。
図８ないし図１０に示される第３の実施の形態のライターは、前記のように、上壁部２６と横壁部２８とを備えた押し制御部材２４を具備している。前記押し制御部材は、さらに、上壁部２６に連結する２つの縦方向の壁部２８の間において縦方向に延出する２つの壁部４８・５０を備えている。第１の壁部４８は、バーナー４と電極キャリア２２との近傍に設けられ、第２の壁部５０は、第１の壁部２８と反対側であるが、第１の壁部と実質的に平行に設けられている。
壁部５０は、ライターの本体の外壁部の延長線上に設けられている。この本体２の縁部と同じ高さにおいて、壁部５０は、肩部５２を有しており、この肩部５２を越えて、ライターの本体２の内部まで延出する。これによって、前記肩部５２は、当接面を形成しており、ライターの本体２の縁部は、被当接面を形成している。これにより、押し制御部材２４が、アイドル位置（図８）から矢印３６（図１０）の方向へ移動するのを防止している。
壁部４８は、ライターの電極キャリア２２に平行に走っており、かつ、これと対面するように設けられている。弾性的な金属細片５４は、電極キャリア２２にまたがるようにして設けられている。この金属細片５４は、全体として逆Ｕ字形をしているが、押し制御部材２４の近傍から、壁部４８によって支持されている。バーナー側には、金属細片５４が、電極キャリア２２に対して設置されており、金属細片の端部は、前記バーナー４の方向に湾曲している。金属細片の端部は、第２の電極２０を構成している。
このライターの機能は、他の２つの実施の形態におけるライターの機能と類似している。この形態では、押し制御部材２４を、アイドル位置（図８）から矢印５６の方向、すなわち、バーナー４の方向に向かって横方向に移動させることにより、当接面５２を、被当接面との関係において第一の位置に持っていくことが必要である。この移動は、変形している弾性細片５４が及ぼす力に抗してなされる。一旦、第一の位置にくると、前記押し制御部材２４は、着火メカニズムを動作させるために下方向（矢印３６）に移動する。このコースの終点において、アンビル部材２５は、弾性細片５４と接触し、それによって、電極２０を、望ましい位置に持ってくることができる。
押し制御部材２４が、そのアイドル位置以外の位置をとる時には、前記押し制御部材２４を離すことにより、押し制御部材２４は、復帰バネと弾性細片５４との作用により、自動的にそのアイドル位置（図８）に戻る。
図１１ないし図１３は、第４の実施の形態を示している。ここで、押し制御部材２４は、他の３つの実施の形態と同様に、上壁部２６と２つの横壁部２８とを有しており、第３の実施の形態と同様に（図８から図１０）、肩部５２を備えた壁部５０は、ライターの本体２の縁部と協働して機能する。
この明細書の最初で説明したように、電極キャリア２２に面して、押し制御部材２４は、舌部材５８を具備している。舌部材５８の中央には、第２の電極２０の通路となる溝が設けられている。前記舌部材５８は、壁部５０と平行であることが不可欠であり、前記押し制御部材の上壁部２６と連結されている。舌部材５８は、縦方向に延出しており、ライターの電極キャリア２２に対抗して支持されている。
この実施の形態では、図８ないし図１０と関連して説明されたものと同じような機能がある。弾性細片の機能は、それはまさに、押し制御部材２４を通常位置（図１１）に戻す機能と電極として働く機能とに分けられている。電極２０は、電極キャリア２２に、これを跨ぐように取り付けられている。矢印３６の方向への移動に伴って、前記電極は、そのために設けられた弾性舌部材５８の溝に対応してスライドする。押し制御部材２４が、下げられた位置にあるときには、着火メカニズムと前記電極との間の電気的接触は、アンビル部材２５を通して行われるものと同様である。
他の実施の形態における場合と同様に、着火メカニズムが動作可能なように縦方向（図１３の矢印３６）に押し制御部材を移動させる前に、押し制御部材とライターの本体との当接面と被当接面とが動かなくなるような位置に到達するように、横方向（図１２の矢印５６）へと押し制御部材を移動させることが必要である。
添付図面（図１４ないし図１６）に示されている第５の実施の形態は、上壁部材２６を備えた押し制御部材２４を具備している。図１４ないし図１６に示されている断面図は、他の図とは異なっている。この図は、図１のＡ−Ａ矢視断面図に相当する。通常の位置、すなわち、アイドル位置は、図１４に示されている。
この発明においては、バーナー側およびそれと反対側の壁部に特別な機能が無いので示されていない。
横壁部と類似する部材については、前記各図面を参照して既に説明されている。図１４ないし図１６の左側に設けられた壁部は、図８ないし図１３の壁部５０と類似のものである。ここで、この壁部には、符号５１が付され、肩部には、符号５３が付されている。該肩部５３は、第３および第４の実施の形態における肩部５２と同様に、ライターの本体２の縁部と協働して機能する。
図１４ないし図１６では、右側に設けられている第２の横壁部は、図１ないし図７の舌部材４０と類似のものである。ここで、横壁部は、符号４１が付され、前記舌部材４０と同様に、ライターの本体の内面４２において支持されている。
アイドル位置（図１４）から着火メカニズムを動作可能とするためには、肩部５３の当接面を、ライターの本体の縁部との関係で、非アクティヴ位置におくことが必要である。押し制御部材２４は、図示するように、第１に、右横方向、すなわち、図１５の矢印６０の方向に移動する。この移動は、弾性舌部材４１の変形を伴って行われ、次いで、舌部材４１は、前記押し制御部材をアイドル位置に戻すような力を働かせる。いったん、この第一の位置に入ると、押し制御部材２４は、着火メカニズムに作用するように動かすことができる（図１６）。
前記の実施の形態で説明したように、押し制御部材２４は、これに対して何らの力も働いていない場合でも、復帰バネと舌部材４１とにより、自動的にそのアイドル位置（図１４）に戻る。
図１７ないし図１９に示されている最後の実施の形態は、他の実施の形態と、以下の点で異なっている。すなわち、被当接面に対して、当接面と対面する位置になるように当接面を戻すようにされている弾性手段は、弾性的に変形可能で、かつ、電極キャリア２２と一体に形成された舌部材６２を具備している。この舌部材６２は、押し制御部材２４が、バーナー４中に一体に設けられたバルブの開口を制御する位置（図１９）にある時には、圧縮されていない。
本実施の形態において用いられる前記押し制御部材２４は、図８ないし図１０に示されている押し制御部材と類似のものである。この実施の形態においては、弾性細片５４が、電極キャリア２２に取り付けられている電極２０と舌部材６２とに置き換えられている。この舌部材６２は、電極キャリア２２とは別体に、その上方へと離れる。舌部材６２は、押し制御部材（図１７および図１８）の壁部４８に対して支持されている。舌部材６２は、電極キャリア２２の一部として形成されていてもよく、電極キャリア２２に固定されているか、或いは、それとは逆に、別の独立した部材として設けられていてもよい。独立した部材としては、舌部材６２は、板バネであるか、或いは、別の螺旋バネ、或いは、他の適したバネ形状でもよく、電極キャリア２２と押し制御部材２４との間に、自由に配置される。もし、舌部材６２が、別の部材として設けられている場合には、舌部材は、電極キャリア２２、或いは、他の押し制御部材２４の適切な部分に設けられている適切なガイドスロットによって、その場所に保持されていてもよい。
本実施の形態は、図４ないし図７に示されている実施の形態の変形例を含んでいる。この観点からみると、押し制御部材の壁部５０は、肩部５２と、縦下方に延出する突出部６４とを具備している。この壁部の自由端部は、Ｕ字形である。Ｕ字の枝部間に位置する空間は、アイドル位置において、ライターの本体２の縁部６６に面している（図１７）。前記空間は、縁部６６を収納するのに十分なほど大きく、従って、突出部６４が障害になることなく、押し制御部材２４を、アイドル位置から横方向に移動させることが可能である。それゆえ、もし、ライターを使用する時に、まず、押し制御部材２４を、縦方向に動かせば、当初のアイドル位置を通過しない限り、さらに押し制御部材を、横方向に移動させることはできない。
上述した全ての実施の形態において、着火メカニズムを動作させるには、２方向への移動の連続した組み合わせが必要であり、年少の子供が使うのは非常に困難である。これに対して、大人は、これらのライターを、単に、押し制御部材の上面を動かすだけで、きわめて容易に使用することができる。使用者の指と前記押し制御部材の上面部との間の摩擦力により、或いは、指と適合するような、押し制御部材の好ましい形状により、押し制御部材は、横方向に移動可能である。次いで、ライターを動作させるためには、押し制御部材に対して指を動かすことなく、使用者は、単にこれを押圧するだけでよい。
もちろん、本発明は、例示として示した上記の実施の形態に限定されることなく、すべての変形例を包含する。
従って、例えば、本発明のライターは、ピエゾエレクトリックな着火に限定されない。このライターは、６ａライター石とギザギザのホイールとを備えた型の着火メカニズムをも包含する。前記ギザギザのホイールの回転は、押し制御部材を押し下げることにより得られるであろう。
ここに示されている実施の形態の例においては、押し制御部材を横方向へ動かすことにより、アイドル位置に戻すことができる弾性手段は、ライターの部品、例えば、押し制御部材自身、或いは、ライターの本体、或いは、電極と一体化されている。これらは、好ましい実施の形態であるけれども、それにもかかわらず、前記弾性手段については、本発明の範囲から逸脱することなく、容易に、例えば、らせん状のバネのような１つの独立した部品を具備するようにすることもできる。
【図１】
0003668254.tif 000002
【図２】
0003668254.tif 000003
【図３】
0003668254.tif 000004
【図４】
0003668254.tif 000005
【図５】
0003668254.tif 000006
【図６】
0003668254.tif 000007
【図７】
0003668254.tif 000008
【図８】
0003668254.tif 000009
【図９】
0003668254.tif 000010
【図１０】
0003668254.tif 000011
【図１１】
0003668254.tif 000012
【図１２】
0003668254.tif 000013
【図１３】
0003668254.tif 000014
【図１４】
0003668254.tif 000015
【図１５】
0003668254.tif 000016
【図１６】
0003668254.tif 000017
【図１７】
0003668254.tif 000018
【図１８】
0003668254.tif 000019
【図１９】
0003668254.tif 000020